(57)【要約】      （修正有）【課題】得点が数字以外の文字を含むスポーツ競技において用いられ、ボード両面から得点を視認可能な得点表示器を提供する。【解決手段】２チーム対戦の団体戦スポーツ競技において用いられる得点表示器１であって、底面が土台に直接又は他の部材を介して間接的に取り付けられ、鉛直方向に立設する四角形状の表示枠フレーム２と、表示枠フレームの表面及び裏面それぞれの上部において横方向に貼設され、所定の識別情報が記載される識別表示部４、５と、表示枠フレームの識別表示部よりも下方において、表示枠フレームの左右枠の間に架設され、少なくとも当該団体戦スポーツ競技における評価項目が記載されたカード群９、１０が吊輪８を介して吊下げられる複数の横杆７と、を有し、カード群は、所定のカードの裏面に記載された評価項目と、その次のカードの表面に記載された評価項目とが同一になるよう構成される。【選択図】図１
0003234690.tif 000002
【実用新案登録請求の範囲】
【請求項１】
２チーム対戦の団体戦スポーツ競技において用いられる得点表示器であって、
底面が土台に直接又は他の部材を介して間接的に取り付けられ、鉛直方向に立設する四角形状の表示枠フレームと、
前記表示枠フレームの表面及び裏面それぞれの上部において横方向に貼設され、所定の識別情報が記載される識別表示部と、
前記表示枠フレームの前記識別表示部よりも下方において、前記表示枠フレームの左右枠の間に架設され、少なくとも当該団体戦スポーツ競技における評価項目が記載されたカード群が吊輪を介して吊下げられる複数の横杆と、を有し、
前記カード群は、所定のカードの裏面に記載された評価項目と、その次のカードの表面に記載された評価項目とが同一になるよう構成されたことを特徴とする得点表示器。
【請求項２】
前記所定の識別情報は、当該団体戦スポーツ競技における選手呼称又は評価項目の種別であることを特徴とする請求項１に記載の得点表示器。
【請求項３】
前記識別表示部の上部左右端には、それぞれ引き出し式の棒状の延長バーが取付けられていることを特徴とする請求項１に記載の得点表示器。
【考案の詳細な説明】
【技術分野】
【０００１】
本考案は、得点表示器に関する。
【背景技術】
【０００２】
従来、各種のスポーツ競技において競技者の得点を表示するための得点表示器が使用されている（例えば特許文献１、２参照）。
【０００３】
特許文献１には、バドミントン競技で使用される得点表示器に係る技術が開示されている。特許文献１に係る技術では、人の背丈ほどの得点表示器において、得点表示をする係員が椅子等に座ったままの状態で得点表示をすることができるようにするため、高い位置にある連続した帯状の得点表示シートを長尺なハンドルを回転させることで巻き取りや巻き戻しを行うことにより、得点を表示している。
【０００４】
特許文献２には、バレーボール、テニスなどに用いられる得点表示装置に係る技術が開示されている。特許文献２に係る得点表示装置は、上下方向に伸縮位置調節自在の支柱と同支柱の上端両側に水平方向に空設された腕杆と同腕杆にそれぞれ回転自在に取付けられた１個以上の筒体と同筒体に基部が取付けられた側面視「の」の字状の得点カード吊輪及び同吊輪に吊下げられ得点の都度、上記吊輪に沿ってめくられる所要枚数の得点カードとからなる。
【先行技術文献】
【特許文献】
【０００５】
【特許文献１】登録実用新案第３２１１４２３号
【特許文献２】実開平２−８４６７６号公報
【考案の概要】
【考案が解決しようとする課題】
【０００６】
上記従来技術に示すように、各種のスポーツ競技において種々の得点表示器が使用されている。ところで、スポーツ競技には、例えば剣道やなぎなた競技のように、得点が数字以外の文字で表されるものがある。
【０００７】
このようなスポーツ競技においては、従前ホワイトボードを使用した得点ボードが用いられることも多かった。またこのような得点ボードでは、ボード表面にしか得点が記載されないためにボード裏面から得点を視認できないという問題もあった。
【０００８】
本考案は、上記の点に鑑みてなされたものであり、得点が数字以外の文字を含むスポーツ競技において用いられ、ボード両面から得点を視認可能な得点表示器を提供することを目的とする。
【課題を解決するための手段】
【０００９】
上記の目的を達成するために、本考案に係る得点表示器は、２チーム対戦の団体戦スポーツ競技において用いられる得点表示器であって、底面が土台に直接又は他の部材を介して間接的に取り付けられ、鉛直方向に立設する四角形状の表示枠フレームと、前記表示枠フレームの表面及び裏面それぞれの上部において横方向に貼設され、所定の識別情報が記載される識別表示部と、前記表示枠フレームの前記識別表示部よりも下方において、前記表示枠フレームの左右枠の間に架設され、少なくとも当該団体戦スポーツ競技における評価項目が記載されたカード群が吊輪を介して吊下げられる複数の横杆と、を有し、前記カード群は、所定のカードの裏面に記載された評価項目と、その次のカードの表面に記載された評価項目とが同一になるよう構成されたことを特徴とする。
【考案の効果】
【００１０】
本考案によれば、得点が数字以外の文字を含むスポーツ競技において用いられ、ボード両面から得点を視認可能な得点表示器を提供することができる。
【図面の簡単な説明】
【００１１】
【図１】本実施形態に係る得点表示器の第一例を示す図である。
【図２】本実施形態に係る技カード群の一例を示す図である。
【図３】本実施形態に係る得点カード群の一例を示す図である。
【図４】本実施形態に係る得点表示器の第二例を示す図である。
【図５】本実施形態に係る得点表示器の第三例を示す図である。
【考案を実施するための形態】
【００１２】
以下、本考案の実施形態について説明する。
【００１３】
［得点表示器の第一例］
図１は、本実施形態に係る得点表示器の第一例を示す図である。図１では、２チーム対戦の団体戦スポーツ競技の一種である剣道競技において用いられる得点表示器１の一例を示している。
【００１４】
なお、本第一例では、得点表示器１が３人制の剣道競技において用いられる場合を例に挙げて説明を行うが、この場合に限定されるものではない。その他５人制や７人制の競技に対しても使用可能である。
【００１５】
図１に示す得点表示器１は、表示枠フレーム２、表示枠補助フレーム２ａ、キャスター付き移動台３、第一識別表示プレート４、第二識別表示プレート（識別表示部）５、延長バー６、第１横杆７１、第２横杆７２、第３横杆７３、第４横杆７４、第５横杆７５、第６横杆７６、第７横杆７７（以下、第１横杆７１〜第７横杆７７のいずれか一つを指す場合、単に「横杆７」ともいう。）、複数の吊輪８、複数の技カード群９、複数の得点カード群１０等を有する構成であり、縦長型の得点表示器である。
【００１６】
表示枠フレーム２は、底面がキャスター付き移動台３に直接取り付けられ、鉛直方向に立設する例えばスチール製の平角パイプによって形成された四角形状のフレーム枠体である。この表示枠フレーム２の上下枠の間には、複数の棒状の表示枠補助フレーム２ａが表示枠フレーム２を補強し、各吊輪８、各技カード群９及び各得点カード群１０の位置を制御するために縦方向に設けられる。
【００１７】
キャスター付き移動台３は、表示枠フレーム２の底面に嵌合して取り付けられ、キャスターによって移動可能な土台である。なお、キャスターは必ずしも付いていなくても良い。
【００１８】
第一識別表示プレート４は、表示枠フレーム２の左右略中央において上下に貼設される平板状のプレートである。この第一識別表示プレート４は、表示枠フレーム２の表面並びに裏面の両面（図１では表面のみ図示）に貼設されるものであり、上から順に「先鋒」、「中堅」、「大将」の文字が記載される。特に当該第一識別表示プレート４がホワイトボードからなる場合には、各文字はホワイトボードマーカーによって記載される。第一識別表示プレート４が鉄製部材等からなる場合には、「先鋒」、「中堅」、「大将」の文字が記載されたマグネットを貼着しても良い。
【００１９】
第二識別表示プレート５は、表示枠フレーム２の上部において第一識別表示プレート４を挟んで左右それぞれに横方向に貼設される平板状のプレートである。この第二識別表示プレート５は、表示枠フレーム２の表面並びに裏面の両面（図１では表面のみ図示）に貼設されるものであり、第一識別表示プレート４に近い方から順に「得点」、「技」、「技」の文字が識別情報として等間隔で記載される。「技」や「得点」は、当該団体戦スポーツ競技における評価項目の種別を示す情報である。
【００２０】
例えば図１において左側の第二識別表示プレート５の「技」、「技」、「得点」は、それぞれ左側のチームのメンバー（先鋒、中堅又は大将）が１回目に決めた技、２回目に決めた技、得点を示す。同様に、右側の第二識別表示プレート５の「得点」、「技」、「技」は、それぞれ右側のチームのメンバーの得点、２回目に決めた技、１回目に決めた技を示す。
【００２１】
図１に示す得点表示器１では、先鋒戦では、左側のチームが１回目に決めた技が技ありの「メン」を示す「メ」、２回目に決めた技が技ありの「コテ」を示す「コ」であり、得点は２得点であることを示している。一方、右側のチームが一回目に決めた技が技ありの「コテ」を示す「コ」であり、得点は１得点であることを示している。
【００２２】
表示枠フレーム２の上部左右端には、それぞれ棒状の延長バー６が引き出し式で取付けられており、この延長バー６を引き出して伸長させることで各チームのペナントを吊り下げることができる。ここでいうペナントとは、両面にチーム名が記載されたペナントである。この延長バー６を使用しない場合には、表示枠フレーム２に収納する。
【００２３】
横杆７は、表示枠フレーム２の第二識別表示プレート５よりも下方において、表示枠フレーム２の左右枠の間に横方向に架設される円柱状の棒体である。各横杆７において、第二識別表示プレート５に記載された各識別情報の直下位置であって表示枠フレーム２の左右枠部分とその隣の表示枠補助フレーム２ａとの間又は隣り合う表示枠補助フレーム２ａの間には、対応する技カード群９や得点カード群１０（図２や図３を用いて後述）が吊輪８を介して吊下げられる。
【００２４】
吊輪８は、使用者が技カード群９や得点カード群１０を構成する各カードを、当該吊輪８に沿って手動で１枚ずつめくることで所望のカードを表示させることが可能な中空円形部材である。技カード群９及び得点カード群１０については図２や図３を用いて後述する。
【００２５】
［技カード群の一例］
図２は、本実施形態に係る技カード群の一例を示す図である。
【００２６】
技カード群９は、図２に示すように９枚のカードからなり、それぞれのカード上部には吊輪８に挿通させるための挿通孔９ａが形成されている。
【００２７】
１枚目のカードの表面「メ」、裏面「コ」であり、２枚目のカードの表面「コ」、裏面「ド」であり、３枚目のカードの表面「ド」、裏面「ツ」であり、４枚目のカードの表面「ツ」、裏面「（丸で囲まれた）メ」、５枚目のカードの表面「（丸で囲まれた）メ」、裏面「（丸で囲まれた）コ」であり、６枚目のカードの表面「（丸で囲まれた）コ」、裏面「（丸で囲まれた）ド」であり、７枚目のカードの表面「（丸で囲まれた）ド」、裏面「（丸で囲まれた）ツ」であり、８枚目のカードの表面「（丸で囲まれた）ツ」、裏面「空白面」であり、９枚目のカードの表面「空白面」、裏面「メ」である。
【００２８】
ここで、「メ」、「コ」、「ド」、「ツ」は、それぞれ技ありのメン、コテ、ドウ、ツキ（得点は１点）を示す評価項目である。丸で囲まれた「メ」、「コ」、「ド」、「ツ」は、それぞれ一本のメン、コテ、ドウ、ツキ（得点は２点）を示す評価項目である。
【００２９】
図２から分かるように、所定の枚数目のカードの裏面に記載された評価項目と、その次のカードの表面に記載された評価項目とが同一になるように構成される。但し、最後の枚数目（ここでは９枚目）のカードの裏面に記載された評価項目は、最初に戻って１枚目のカードの表面に記載された評価項目と同一になる。これら技カード群９は、吊輪８を介して回転可能に取付けられる。
【００３０】
これにより、得点表示器１の表側に２枚目のカードの表面「コ」が表示されている場合、得点表示器１の裏側にも同じく「コ」（一つ前のカードである１枚目のカードの裏面「コ」）が表示されることとなる。更に、このカードをめくると、得点表示器１の表側に３枚目のカードの表面「ド」が表示され、得点表示器１の裏側にも同じく「ド」（一つ前のカードである２枚目のカードの裏面「ド」）が表示されることとなる。
【００３１】
すなわち、得点表示器１のボード表面側に居る競技者も、ボード裏面側に居る観客も、すなわちボード両面から同じ態様で表示された技を視認可能となる。また、電源等を必要とせず手捲りにてこのような効果を実現することができる。
【００３２】
なお、本第一例では剣道競技を例に説明を行ってきたが、この場合に限定されるものではない。例えばなぎなた競技の場合には、更にスネを示す「ス」が用いられるため、競技種目に応じて技カードの枚数や内容を変更・追加してよい。
【００３３】
［得点カード群の一例］
図３は、本実施形態に係る得点カード群の一例を示す図である。
【００３４】
得点カード群１０は、図３に示すように４枚のカードからなり、それぞれのカード上部には吊輪８に挿通させるための挿通孔１０ａが形成されている。
【００３５】
１枚目のカードの表面「１」、裏面「２」であり、２枚目のカードの表面「２」、裏面「３」であり、３枚目のカードの表面「３」、裏面「空白面」であり、４枚目のカードの表面「空白面」、裏面「１」である。「１」、「２」、「３」は得点を示す評価項目である。
【００３６】
このような得点カード群１０では、前述の技カード群９の場合と同様に、所定の枚数目のカードの裏面に記載された評価項目と、その次のカードの表面に係る評価項目とが同一になるように構成される。但し、最後の枚数目（ここでは４枚目）のカードの裏面に記載された評価項目は、最初に戻って１枚目のカードの表面に記載された評価項目と同一になる。これら得点カード群１０は、吊輪８を介して回転可能に取付けられる。
【００３７】
これにより、得点表示器１の表側に２枚目のカードの表面「２」が表示されている場合、得点表示器１の裏側にも同じく「２」（一つ前のカードである１枚目のカードの裏面「２」）が表示されることとなる。更に、このカードをめくると、得点表示器１の表側に３枚目のカードの表面「３」が表示され、得点表示器１の裏側にも同じく「３」（一つ前のカードである２枚目のカードの裏面「３」）が表示されることとなる。
【００３８】
すなわち、得点表示器１のボード表面側に居る競技者も、ボード裏面側に居る観客も、すなわちボード両面から同じ態様で表示された得点を視認可能となる。また、電源等を必要とせず手捲りにてこのような効果を実現することができる。
【００３９】
図１に戻り、本第一例に示す得点表示器１では、左右それぞれのチームについて３列（「技」・「技」・「得点」）にカード群が配設された場合を例示しているが、この場合に限定されるものではない。他の項目を示す列数並びにカード群を増やしても良い。他の項目とは、例えば「反則」や「場外」である。
【００４０】
［得点表示器の第二例］
図４は、本実施形態に係る得点表示器の第二例を示す図である。図４では、２チーム対戦の団体戦スポーツ競技の一種である剣道競技において用いられる得点表示器の他の一例を示している。
【００４１】
なお、本第二例では、得点表示器１００が５人制の剣道競技において用いられる場合を例に挙げて説明を行うが、この場合に限定されるものではない。その他３人制や７人制の競技に対しても使用可能である。
【００４２】
図４に示す得点表示器１００は、支柱部２００、表示枠フレーム２１０、表示枠補助フレーム２１０ａ、キャスター付き移動台３００、識別表示プレート（識別表示部）４００、延長バー６００、第１横杆７１０、第２横杆７２０、第３横杆７３０（以下、第１横杆７１０〜第３横杆７３０のいずれか一つを指す場合、単に「横杆７００」ともいう。）、複数の吊輪８、複数の技カード群９、複数の得点カード群１０等を有する構成であり、横長型の得点表示器である。
【００４３】
なお、キャスター付き移動台３００、延長バー６００、吊輪８、技カード群９、得点カード群１０は、前述のキャスター付き移動台３、延長バー６、吊輪８、技カード群９、得点カード群１０（図１参照）と同様であるので、ここでは説明を省略する。
【００４４】
支柱部２００は、底面がキャスター付き移動台３００に取り付けられ、鉛直上方に立設する柱状体である。この支柱部２００には、四角形状の例えばスチール製の平角パイプによって形成されたフレーム枠体である表示枠フレーム２１０が取付けられる。すなわち、表示枠フレーム２１０は、支柱部２００を介してキャスター付き移動台３００に間接的に取付けられて鉛直方向に立設する。表示枠フレーム２１０の上下枠の間には、複数の棒状の表示枠補助フレーム２１０ａが表示枠フレーム２１０を補強し、各吊輪８、各技カード群９及び各得点カード群１０の位置を制御するために縦方向に設けられる。
【００４５】
識別表示プレート４００は、表示枠フレーム２１０の上部において横方向に貼設される平板状のプレートである。この識別表示プレート４００は、表示枠フレーム２１０の表面並びに裏面の両面（図４では表面のみ図示）に貼設されるものであり、それぞれ「先鋒」を示す「先」、「次鋒」を示す「次」、「中堅」を示す「中」、「副将」を示す「副」、「大将」を示す「大」の文字が識別情報として等間隔で記載される。「先鋒」、「次鋒」、「中堅」、「副将」、「大将」は、当該団体戦スポーツ競技における選手呼称を示す情報である。
【００４６】
横杆７００は、表示枠フレーム２１０の識別表示プレート４００よりも下方において、表示枠フレーム２１０の左右枠の間に横方向に架設される円柱状の棒体である。各横杆７００において識別表示プレート４００に記載された各識別情報の直下位置であって表示枠フレーム２１０の左右枠部分とその隣の表示枠補助フレーム２１０ａとの間又は隣り合う表示枠補助フレーム２１０ａの間には、上から順に１回目に決めた「技」を示す技カード群９、２回目に決めた「技」を示す技カード群９、得点を示す得点カード群１０が吊輪８を介して吊下げられる。
【００４７】
以上に示す第二例に係る得点表示器１００の使用方法は、前述の第一例に係る得点表示器１と同様である。この得点表示器１００によれば、前述の得点表示器１と同様に、得点表示器１００の表面側に居る競技者も、裏面側に居る観客も、すなわち両面から同じ態様で表示された得点を視認可能となる。また、電源等を必要とせず手捲りにてこのような効果を実現することができる。
【００４８】
［得点表示器の第三例］
図５は、本実施形態に係る得点表示器の第三例を示す図である。図５では、２チーム対戦の団体戦スポーツ競技の一種である剣道競技において用いられる得点表示器の他の一例を示している。
【００４９】
なお、本第三例では、前述の第二例と同様に、得点表示器１１０が５人制の剣道競技において用いられる場合を例に挙げて説明を行うが、この場合に限定されるものではない。その他３人制や７人制の競技に対しても使用可能である。
【００５０】
図５に示す得点表示器１１０は、表示枠フレーム２２０、表示枠補助フレーム２２０ａ、キャスター付き移動台３１０、第一識別表示プレート（識別表示部）４１０、第二識別表示プレート４２０、延長バー６１０、第１横杆７１１、第２横杆７２１、第３横杆７３１、第４横杆７４１、第５横杆７５１、第６横杆７６１（以下、第１横杆７１１〜第６横杆７６１のいずれか一つを指す場合、単に「横杆７０１」ともいう。）、複数の吊輪８、複数の技カード群９、複数の得点カード群１０等を有する構成であり、やや横長型の得点表示器である。
【００５１】
なお、キャスター付き移動台３１０、延長バー６１０、吊輪８、技カード群９、得点カード群１０は、前述のキャスター付き移動台３、延長バー６、吊輪８、技カード群９、得点カード群１０（図１参照）と同様であるので、ここでは説明を省略する。
【００５２】
表示枠フレーム２２０は、底面がキャスター付き移動台３１０に直接取り付けられ、鉛直方向に立設する例えばスチール製の平角パイプによって形成された四角形状のフレーム枠体である。この表示枠フレーム２２０の上下枠の間には、複数の棒状の表示枠補助フレーム２２０ａが表示枠フレーム２２０を補強し、各吊輪７、各技カード群８及び各得点カード群９の位置を制御するために縦方向に設けられる。
【００５３】
第一識別表示プレート４１０は、表示枠フレーム２２０の上部において横方向に貼設される平板状のプレートである。この第一識別表示プレート４１０は、表示枠フレーム２２０の表面並びに裏面の両面（図５では表面のみ図示）に貼設されるものであり、左から順に左チームの「先鋒」を示す「先」、「次鋒」を示す「次」、「中堅」を示す「中」、「副将」を示す「副」、「大将」を示す「大」の文字が記載される。
【００５４】
第二識別表示プレート５１０は、表示枠フレーム２２０の中央部おいて左右に貼設される平板状のプレートである。この第二識別表示プレート５１０は、表示枠フレーム２２０の表面並びに裏面の両面（図５では表面のみ図示）に貼設されるものであり、右から順に右チームの「先鋒」を示す「先」、「次鋒」を示す「次」、「中堅」を示す「中」、「副将」を示す「副」、「大将」を示す「大」の文字が記載される。
【００５５】
横杆７０１は、表示枠フレーム２２０の第一識別表示プレート４１０及び第二識別表示プレート５１０のそれぞれよりも下方において、表示枠フレーム２２０の左右枠の間に横方向に架設される円柱状の棒体である。
【００５６】
第１横杆７１１〜第３横杆７３１において第一識別表示プレート４１０に記載された各識別情報の直下位置であって表示枠フレーム２２０の左右枠部分とその隣の表示枠補助フレーム２２０ａとの間又は隣り合う表示枠補助フレーム２２０ａの間には、上から順に１回目に決めた「技」を示す技カード群９、２回目に決めた「技」を示す技カード群９、得点を示す得点カード群１０が吊輪８を介して吊下げられる。
【００５７】
同様に、第４横杆７４１〜第６横杆７６１において第二識別表示プレート５１０に記載された各識別情報の直下位置であって表示枠フレーム２２０の左右枠部分とその隣の表示枠補助フレーム２２０ａとの間又は隣り合う表示枠補助フレーム２２０ａの間には、上から順に１回目に決めた「技」を示す技カード群９、２回目に決めた「技」を示す技カード群９、得点を示す得点カード群１０が吊輪８を介して吊下げられる。
【００５８】
以上に示す第三例に係る得点表示器１１０の使用方法は、前述の第一例に係る得点表示器１と同様である。この得点表示器１１０によれば、前述の得点表示器１と同様に、得点表示器１００の表面側に居る競技者も、裏面側に居る観客も、すなわち両面から同じ態様で表示された得点を視認可能となる。また、電源等を必要とせず手捲りにてこのような効果を実現することができる。更に、前述の第二例に係る得点表示器１００に比べて、表示枠フレーム２２０の左右の長さが短いために、安定して使用することができる。
【００５９】
以上、本考案の一実施形態について説明したが、上記実施形態は本考案の適用例の一つを示したものであり、本考案の技術的範囲を上記実施形態の具体的構成に限定する趣旨ではない。
【００６０】
例えば、上記説明においては３人制又は５人制の場合について説明を行ってきたが、この場合に限定されるものではない。例えば７人制の場合には「先鋒」、「次鋒」、「五将」、「中堅」、「三将」、「副将」、「大将」の文字を記載し、各々に対応する技カード群８、得点カード群９を設けることによって適用可能である。
【符号の説明】
【００６１】
１、１００、１１０  得点表示器
２、２１０、２２０  表示枠フレーム
３、３００、３１０  キャスター付き移動台（土台）
４、４００、４１０  第一識別表示部
５、４２０  第二識別表示部
６、６００、６１０  延長バー
７、７００、７０１  横杆
８  吊輪
９  技カード群
１０  得点カード群
２００  支柱部
【図１】
0003234690.tif 000003
【図２】
0003234690.tif 000004
【図３】
0003234690.tif 000005
【図４】
0003234690.tif 000006
【図５】
0003234690.tif 000007